(57)【特許請求の範囲】
【請求項１】
背面側垂直固定枠に足場板及びその上方を囲繞する手摺を軸着して折り畳み自在とした吊り足場を、背面側垂直固定枠に垂直方向に揺動自在に取り付けられるねじ棒と、このねじ棒に対して軸方向に摺動自在に装着される爪金具と、ねじ棒にねじ結合される蝶ナットとを有する掛止め金物を用いて梁鉄骨の一方側部に背面側垂直固定枠の支柱を配置した状態でねじ棒を鉄骨梁の上面にかけ、蝶ナットを回転させることによって爪金具を梁鉄骨の他方側部に接近移動させるようにして取り付ける場合において、掛止め金物のねじ棒は背面側垂直固定枠に対して水平方向に少なくとも１８０°程度回動自在に設け、梁鉄骨に間隔をおいて掛止する２本の掛止め金物のうち、１つをフリーとしてから他の１つを中心に吊り足場自体を、背面側垂直固定枠に足場板及びその上方を囲繞する手摺りを重ね合わせるようにして畳んだ状態でうって返し的に回転させ、前記フリーとした掛止め金物を再度梁鉄骨に掛止し、その後、足場板を水平状態として吊り足場を広げて使用できる状態とすることを特徴とする鉄骨吊り足場の掛替え工法。
【発明の詳細な説明】
【０００１】
【発明の属する技術分野】
本発明は、ビル建築等の現場において梁鉄骨に取付けて使用するハンガータイプの鉄骨吊り足場の掛替え工法に関する。
【０００２】
【従来の技術】
鉄骨構造物や鉄骨鉄筋コンクリート構造物を建築する場合には、鉄骨の組立工事における鉄骨材のボルト締め作業、溶接作業および鉄筋の組立作業などの建築作業に際して、構築物としての梁鉄骨に吊り足場を取り付けるようにしており、この吊り足場において、作業者が種々の建築作業を行うようにしている。
【０００３】
このような作業を行うための足場としては、たとえば、実公昭５４−１３４５号公報、実公昭６４−７１５４号公報、実開平３−３７１４号公報、実開平３−６３６５２号公報および実開平３−１２３０４４号公報に示されるような梁鉄骨に取り付けるハンガータイプの吊り足場がある。
【０００４】
これは多少タイプの相違はあるが、図１０に構築物の梁鉄骨１に取り付けられた概略斜視図を示すと、吊り足場２は２本の支柱３，４間に３本の横桟５ａ，５ｂ，５ｃを固定した背面側垂直固定枠７を有し、背面側垂直固定枠７の下端部には、周囲に巾木を立ち上げた四辺形の足場板８を回動自在に取付けた。
【０００５】
さらに、背面側垂直固定枠７の支柱３，４の中間部分からは上部用および中間部用の手摺９ａ，９ｂを端部を軸着して回動自在に設け、足場板８の前方側隅部から前側支柱１０，１１を下端を軸着して立ち上げ、この前側支柱１０，１１に前記手摺９ａ，９ｂの先端を軸着し、さらに、前側支柱１０，１１間には前側手摺１２ａ，１２ｂを固定的に設けてこれら全体で足場板８の上方を囲繞する。
【０００６】
これに加えて、支柱３，４から前側支柱１０，１１に向けて折曲自在な吊支材１３を端部を軸着して掛渡した。この吊支材１３としては図示のような途中をヒンジとした部材の他に、鎖やワイヤー等による場合や実公昭６４−７１５４号公報のように山形に湾曲したものとするなど種々選択できる。
【０００７】
このようにして吊り足場２は、使用される際には足場板８を水平状態とし、不使用時には足場板８を垂直方向に回動して、固定的な前側支柱１０，１１や前側手摺１２ａ，１２ｂによる枠体等を背面側垂直固定枠７に重ね合わせることで折り畳むことができる。
【０００８】
また、このように折り畳み式となった吊り足場２を梁鉄骨１に取り付けるために、背面側垂直固定枠７の支柱３，４の上端部には、２つの掛止め金物１４（クランプ装置）を垂直方向に揺動自在に取り付けた。
【０００９】
前記掛止め金物１４（クランプ装置）は、図１１にも示すように支柱３，４に対して板状の止金具１５により垂直方向に揺動自在に取り付けるねじ棒１６と、このねじ棒１６に対して軸方向に摺動自在に装着される係合金具としての爪金具１７と、ねじ棒１６にねじ結合される蝶ナット１８とを有する。
【００１０】
【発明が解決しようとする課題】
構築物に対する吊り足場２の取り付けは、梁鉄骨１の一方側部に支柱３，４を配置した状態で、ねじ棒１６を梁鉄骨１の上フランジの上面にかけ、蝶ナット１８を回転させることによって爪金具１７を梁鉄骨１の他方側部に接近移動させるようにしている。爪金具１７を鉄骨梁に係合させた状態のもとで、爪金具１７が梁鉄骨１に確実に係合状態を保持するように、爪金具１７と梁鉄骨１とがオーバーラップする寸法を充分に確保するようにしている。
【００１１】
図１２に示すように、柱鉄骨１９に対して梁鉄骨１の接合は、仕口２０においてスプライスプレート２１を掛け渡して行うことになるが、従来はこのスプライスプレート２１を止めるとき、前記掛止め金物１４（クランプ装置）を完全にフリーとして梁鉄骨１に掛けていた吊り足場２を一度取り外して、クレーン等で水平移動して再度取り付けるようにしていた。
【００１２】
このような盛り替え作業は高所作業であり、安全性にも問題があり、作業に時間がかかり、作業性も良くない。
【００１３】
本発明の目的は前記従来例の不都合を解消し、吊り足場の構築物に対する取付け作業および取外し作業を安全かつ迅速に行い得るようにした鉄骨吊り足場の掛替え工法を提供することにある。
【００１４】
【課題を解決するための手段】
本発明は前記目的を達成するため、背面側垂直固定枠に足場板及びその上方を囲繞する手摺を軸着して折り畳み自在とした吊り足場を、背面側垂直固定枠に垂直方向に揺動自在に取り付けられるねじ棒と、このねじ棒に対して軸方向に摺動自在に装着される爪金具と、ねじ棒にねじ結合される蝶ナットとを有する掛止め金物を用いて梁鉄骨の一方側部に背面側垂直固定枠の支柱を配置した状態でねじ棒を鉄骨梁の上面にかけ、蝶ナットを回転させることによって爪金具を梁鉄骨の他方側部に接近移動させるようにして取り付ける場合において、掛止め金物のねじ棒は背面側垂直固定枠に対して水平方向に少なくとも１８０°程度回動自在に設け、梁鉄骨に間隔をおいて掛止する２本の掛止め金物のうち、１つをフリーとしてから他の１つを中心に吊り足場自体をうって返し的に回転させ、前記フリーとした掛止め金物を再度梁鉄骨に掛止すること、および、うって返し的な回転は、背面側垂直固定枠に足場板及びその上方を囲繞する手摺りを重ね合わせるようにして吊り足場を畳んだ状態で行うことを要旨とするものである。
【００１５】
請求項１記載の本発明によれば、吊り足場を移動させるには、梁鉄骨に間隔をおいて掛止する２本の掛止め金物のうち、１つをフリーとしてから他の１つを中心に吊り足場自体をうって返し的に回転させ、その後、前記フリーとした掛止め金物を再度梁鉄骨に掛止すればよく、従来のように吊り足場全体を取り外して移動させる必要がなく、安全かつ迅速に盛り替え作業を行うことができる。
【００１６】
また、うって返し的に回転させる際に吊り足場は畳んだ状態で行うことで、コンパクトなものを回転させることになり、取り扱い易いものである。
【００１７】
【発明の実施の形態】
以下、本発明の実施の形態を図面に基づいて詳細に説明する。図１は本発明の鉄骨吊り足場の掛替え工法で使用する吊り足場の梁鉄骨１に取り付けた状態の概略斜視図、図２は同上折畳んだ状態の斜視図で、吊り足場２自体は前記従来例で示したものと同じでよく、一例としては、２本の支柱３，４間に３本の横桟５ａ，５ｂ，５ｃを固定した背面側垂直固定枠７を有し、背面側垂直固定枠７の下端部には周囲に巾木を立ち上げた四辺形の足場板８を回動自在に取付け、さらに、支柱３，４の中間部分からは上部用および中間部用の手摺９ａ，９ｂを端部を軸着して回動自在に設け、足場板８の前方側隅部から前側支柱１０，１１を下端を軸着して立ち上げ、この前側支柱１０，１１に前記手摺９ａ，９ｂの先端を軸着し、さらに、前側支柱１０，１１間には前側手摺１２ａ，１２ｂを固定的に設けてこれら全体で足場板８の上方を囲繞し、支柱３，４から前側支柱１０，１１に向けて折曲自在な吊支材１３を端部を軸着して掛渡したものである。
【００１８】
本発明は背面側垂直固定枠７の支柱３，４の上端部に垂直方向に揺動自在に取り付ける２つの掛止め金物１４（クランプ装置）に工夫を凝らした。
【００１９】
図３、図４に示すように、掛止め金物１４（クランプ装置）はねじ棒１６と、このねじ棒１６に対して軸方向に摺動自在に装着される係合金具としての爪金具１７と、ねじ棒１６にねじ結合される蝶ナット１８とを有するものであるが、このねじ棒１６はＴ型のブラケット２２にボルト２３で軸着することで垂直方向に揺動自在に取り付け、さらに該ブラケット２２を支柱３，４に止める板状の止金具１５にボルト２４で水平方向に少なくとも１８０°以上回動自在に軸着した。その結果、ねじ棒１６は背面側垂直固定枠７に対して水平、垂直いずれの方向にも回動するものとなる。
【００２０】
さらに、ブラケット２２は梁鉄骨１の上フランジを受け入れる凹部２５を有し、この凹部２５に向けて突出する止めボルト２６を該ブラケット２２に設けた。
【００２１】
図５〜図７は本発明の掛替え工法の各工程を示す平面図で、吊り足場２は足場板８及びその上方の手摺９ａ，９ｂを背面側垂直固定枠７に重ね合わせるようにして折り畳み状態として、梁鉄骨１に予め取付けておく。
【００２２】
この状態では掛止め金物１４は、２個とも梁鉄骨１の一方側部に背面側垂直固定枠７の支柱３，４を配置した状態で鉄骨梁１の上フランジの上面にかけ渡され、蝶ナット１８を回転させることによって爪金具１７を梁鉄骨１の他方側部に接近移動させるようにして係止されている。なお、係止にはさらに止めボルト２６を梁鉄骨１の上フランジに押圧して、ブラケット２２が不用意に回動しないように配慮している。
【００２３】
図６に示すようにこのように梁鉄骨１に間隔をおいて掛止する２本の掛止め金物１４のうち、１つをフリーとしてから他の１つを中心に吊り足場２自体をうって返し的に回転させ、前記フリーとした掛止め金物１４を再度梁鉄骨１に掛止する。その結果、吊り足場２は１８０度回転し、図７に示すように足場板８も水平状態に広げられる向きとなる。
【００２４】
梁鉄骨１の接合で仕口２０においてスプライスプレート２１を掛け渡す作業を行う場合は、この仕口２０部分を掛止め金物１４に取り込むように吊り足場２を移動させる。
【００２５】
前記フリーとした掛止め金物１４を再度梁鉄骨１に掛止した後では、図９にも示すように、足場板８を水平状態として吊り足場２を広げて使用できる状態とする。
【００２６】
【発明の効果】
以上のべたように本発明の鉄骨吊り足場の掛替え工法は、吊り足場の構築物に対する取付け作業および取外し作業を安全かつ迅速に行い得るものである。
【図面の簡単な説明】
【図１】本発明の鉄骨吊り足場の掛替え工法で使用する吊り足場の梁鉄骨に取り付けた状態の概略斜視図である。
【図２】本発明の鉄骨吊り足場の掛替え工法で使用する吊り足場の折畳んだ状態の斜視図である。
【図３】本発明の鉄骨吊り足場の掛替え工法で使用する吊り足場の掛止め金物の側面図である。
【図４】本発明の鉄骨吊り足場の掛替え工法で使用する吊り足場の掛止め金物の平面図である。
【図５】本発明の鉄骨吊り足場の掛替え工法の１実施形態を示す第１工程の平面図である。
【図６】本発明の鉄骨吊り足場の掛替え工法の１実施形態を示す第２工程の平面図である。
【図７】本発明の鉄骨吊り足場の掛替え工法の１実施形態を示す第３工程の平面図である。
【図８】本発明の鉄骨吊り足場の掛替え工法の１実施形態を示す最終工程前の側面図である。
【図９】本発明の鉄骨吊り足場の掛替え工法の１実施形態を示す最終工程の側面図である。
【図１０】従来の吊り足場を示す梁鉄骨に取り付けた状態の概略斜視図である。
【図１１】従来の吊り足場の掛止め金物は取り付け部分の斜視図である。
【図１２】柱鉄骨に対して梁鉄骨の接合を示す側面図である。
【符号の説明】
１…梁鉄骨                          ２…吊り足場
３，４…支柱                        ５ａ，５ｂ，５ｃ…横桟
７…背面側垂直固定枠
８…足場板                          ９ａ，９ｂ…手摺
１０，１１…前側支柱                １２ａ，１２ｂ…前側手摺
１３…吊支材                        １４…掛止め金物
１５…板状の止金具                  １６…ねじ棒
１７…爪金具                        １８…蝶ナット
１９…柱鉄骨                        ２０…仕口
２１…スプライスプレート            ２２…ブラケット
２３…ボルト                        ２４…ボルト
２５…凹部                          ２６…止めボルト
【図１】
0003590360.tif 000002
【図２】
0003590360.tif 000003
【図３】
0003590360.tif 000004
【図４】
0003590360.tif 000005
【図５】
0003590360.tif 000006
【図６】
0003590360.tif 000007
【図７】
0003590360.tif 000008
【図８】
0003590360.tif 000009
【図９】
0003590360.tif 000010
【図１０】
0003590360.tif 000011
【図１１】
0003590360.tif 000012
【図１２】
0003590360.tif 000013